(57)【要約】【課題】確実に家畜の移動制限が可能であり、かつ容易に設置及び移動可能な柵保持具及びその製造治具を提供する。【解決手段】柵保持具１は、地表面上に移動可能に設置される台座部２と、台座部２に立設される保持部３，４と、を備え、保持部３，４は、ワイヤーメッシュ６を保持可能な隙間５を空け台座部２に沿って並列する。【選択図】図１
0003191219.tif 000002
【実用新案登録請求の範囲】
【請求項１】
地表面上に移動可能に設置される台座部と、この台座部に立設される一対の保持部と、を備え、
前記一対の保持部は、柵を保持可能な隙間を空け前記台座部に沿って並列することを特徴とする柵保持具。
【請求項２】
前記台座部は、一対の第１の脚部を有するＵ字形状に屈曲された棒状体であり、
前記保持部は、一対の第２の脚部を有するＵ字形状に屈曲された棒状体であることを特徴とする請求項１記載の柵保持具。
【請求項３】
前記一対の第２の脚部は、その先端部が前記一対の第１の脚部にそれぞれ固着され、
前記一対の第２の脚部は、前記一対の第１の脚部に対し垂直をなすように構成されることを特徴とする請求項２記載の柵保持具。
【請求項４】
請求項１乃至請求項３のいずれか１項に記載の柵保持具を製造するための製造治具であって、
平板部と、この平板部に対し垂直に立設される長尺形状の一対の支持体と、この支持体に設けられる一対のガイド部材と、を備え、
前記一対のガイド部材は、各々一対のスリットを形成する分枝を備えたフォーク状をなし、前記スリットは前記第２の脚部を挿入可能な幅であるとともに、前記一対のスリットの間の分枝の幅は前記柵を保持可能な隙間の幅と同一であることを特徴とする柵保持具の製造治具。
【考案の詳細な説明】
【技術分野】
【０００１】
本考案は、柵を起立させて保持可能な柵保持具に係り、特に、移動可能な台座部とこの台座部に立設される保持部とを備える柵保持具及びその製造治具に関する。
【背景技術】
【０００２】
従来、屋外においてヤギ等の放牧された家畜の移動を制限する手段としては、複数本の支柱を所定の間隔を空けて地表面に打ち込み、その支柱に柵を固定具等で固定して、一定範囲を囲い込んだものが使用されることが多かった。また、地表面に打ち込んだ支柱と家畜の首輪とを一定長さのロープで結び、家畜をロープの届く範囲内で移動可能にしたものも使用されてきた。
しかし、広範囲にわたって複数本の支柱を打ち込むことは重労働であり、さらに、放牧範囲を変更する目的で一旦打ち込んだ支柱を移動させる場合には、より負担が増大するという課題があった。また、支柱とロープを用いる場合には、ロープが家畜の足や首に絡まって、家畜が移動不能になったり死亡したりするという課題もあった。
そこで、近年、容易に柵等を設置又は移動可能とするとともに、家畜の安全性を確保する目的で、組立式の柵やロープの配置等について研究や開発が行われており、それに関して既にいくつかの発明や考案が開示されている。
【０００３】
例えば、特許文献１には、「組立て式柵」という名称で、馬、牛等の家畜の放牧に使用される組立て式柵に関する考案が開示されている。
特許文献１に開示された考案は、開閉可能な扉体を有する少なくとも１つのゲート部材と、少なくとも左右一対の側枠とこれら側枠の上端を連結する上枠とから成るフレームと、このフレーム内に配設されるパネル本体とから成る複数のパネル部材とで構成され、ゲート部材及びパネル部材の連結部間における一方の連結側の上下部にそれぞれ係止受部を形成し、他方の連結側には係止受部に係合又は嵌合する係止ピンを一体又は別体に有する係止部が形成されることを特徴とする。
このような構造の組立て式柵においては、ゲート部材とパネル部材が、簡単に連結されるとともに、係止ピンと係止受部の係合等を解くことによって分解される。また、この連結を無端状とすることにより、各部材はそれぞれ隣接する部材に支持されて起立する。したがって、柵の組立や分解が容易になるとともに、ゲート部材等の運搬及び保守管理が容易となる。また、設置場所に杭などを打ち込む必要がないため、簡単に設置可能である。
【０００４】
次に、特許文献２には、「ドッグラン用組立サークル」という名称で、犬をノーリードで遊ばせるための場所を提供する組立サークルに関する考案が開示されている。
特許文献２に開示された考案は、線材の伸張力によって一定の形状に展開されるシート材から成るパネル要素と、パネル要素を複数個結合するために左右に設けられた結合手段と、所定長さの竿材を複数個継合わせて形成された継ぎ合わせ式のサークル枠と、複数個のパネル要素を結合手段によって結合し、また、継ぎ合わせ式のサークル枠と接続するためにパネル要素に設けた接続部とから成ることを特徴とする。
このような構造のドッグラン用組立サークルにおいては、複数個のパネル要素を結合手段によって結合し、さらに所定長さの竿材を接続部にて必要個数接続することで、継ぎ合わせ式のサークル枠が形成される。そして、パネル要素に接続部として設けた固定具を使用して継ぎ合わせ式のサークル枠と接続することにより、ドッグラン用組立サークルが組み立てられる。したがって、ある程度の広い場所があれば、ドッグラン用組立サークルを容易に設置及び撤去可能である。
【０００５】
次に、特許文献３には、「複数頭の草食動物を用いた除草装置」という名称で、堤防の法面から続く河川敷に生えている草を複数頭の草食動物によって除草させる除草装置に関する発明が開示されている。
特許文献３に開示された発明は、端支柱及び中間支柱、それらに張り渡した親ロープ、親ロープから伸びる子ロープに繋がれた複数頭の草食動物と小屋とから構成され、親ロープは、河川敷に位置する草食動物が越えられない高さ、かつ、河川の危険水位以上の高さに設置されることを特徴とする。
このような構造の除草装置においては、草食動物同士が干渉し難いように各草食動物の移動範囲を制限できるため、親ロープと子ロープと草食動物が互いに絡み合うのを防止しつつ、広範囲の除草が可能となる。さらに、親ロープは、草食動物の上方に位置することとなるので、子ロープが草食動物の首から足元に向けて垂れ下がってしまうことを抑制できる。そのため、草食動物が自縄自縛となりにくいという効果を有する。
【先行技術文献】
【特許文献】
【０００６】
【特許文献１】実開昭６３−１０２８５８号公報
【特許文献２】登録実用新案第３１５１３５０号公報
【特許文献３】特開２００５−１２４４０５号公報
【考案の概要】
【考案が解決しようとする課題】
【０００７】
しかしながら、特許文献１に開示された考案においては、ゲート部材とパネル部材は互いに連結された後に自立可能であるため、連結作業中においては、これらをそれぞれ支持していなければならない。したがって、簡単な連結作業であるにも関わらず、多くの人手が必要になるものと考えられる。
【０００８】
次に、特許文献２に開示された考案においても、パネル要素自体は自立不能であるため、複数枚のパネル要素を広範囲に亘って設置する場合には、それらの連結作業中の支持が必要である。したがって、特許文献１に開示された考案と同様の課題を有している。また、パネル要素は合成樹脂製であり軽量であるため、地表面に凹凸がある場合に傾斜し易いことから、完成したドッグラン用組立サークルの安定性が十分でない可能性がある。
【０００９】
さらに、特許文献３に開示された発明においては、複数本の支柱を河川敷に埋め込む作業が必要であることから、従来と同様に、放牧範囲の変更の際に多くの手間が掛かる。さらに、堤防の法面がコンクリート等で被覆されている場合には、支柱を埋め込む位置が制限されるため、子ロープの長さによってはコンクリートのひび割れ等に生える雑草を完全に除草することが困難となる可能性がある。
【００１０】
本考案は、このような従来の事情に対処してなされたものであり、確実に家畜の移動制限が可能であり、かつ容易に設置及び移動可能な柵保持具及びその製造治具を提供することを目的とする。
【課題を解決するための手段】
【００１１】
上記目的を達成するため、請求項１記載の考案に係る柵保持具は、地表面上に移動可能に設置される台座部と、この台座部に立設される一対の保持部と、を備え、一対の保持部は、柵を保持可能な隙間を空け台座部に沿って並列することを特徴とする。
このような構造の柵保持具においては、地表面上の所望の位置に台座部が設置される。そして、一対の保持部同士が成す隙間に柵が挿入され、針金等の固定具によって保持部に柵が固定されることで、柵が台座部に対し一定角度をもって設置される。また、固定具を取り外すことによって、保持部から柵が分離される。なお、柵保持具は、強度を考慮して金属製であることが望ましい。また、地表面とは、水平面の他、水平面に対して傾斜する面も含まれる。さらに、柵として、例えば複数の線材を一定間隔に並列して形成された櫛状体、網状体、格子が用いられる。
【００１２】
続いて、請求項２記載の考案は、請求項１記載の柵保持具において、台座部は一対の第１の脚部を有するＵ字形状に屈曲された棒状体であり、保持部は、一対の第２の脚部を有するＵ字形状に屈曲された棒状体であることを特徴とする。
このような構造の柵保持具においては、請求項１に記載の考案の作用に加えて、台座部はＵ字形状に屈曲された棒状体であるため、台座部は一定の面積を有する平面を含むこととなり、地表面に対し平行に設置される。また、保持部もＵ字形状に屈曲された棒状体であるため、保持部と柵とが接触する範囲は互いに面状となる。したがって、保持部を上方から視た場合に、保持部に対し柵が傾斜して取り付けられることがない。
なお、本願における「Ｕ字形状」とは、屈曲部に丸みを帯びる場合の他、屈曲部が角を形成する場合を含む概念である。
【００１３】
続いて、請求項３記載の考案は、請求項２記載の柵保持具において、一対の第２の脚部は、その先端部が一対の第１の脚部にそれぞれ固着され、一対の第２の脚部は、一対の第１の脚部に対し垂直をなすように構成されることを特徴とする。
このような構造の柵保持具において、台座部の一対の第１の脚部同士の間隔は、保持部の一対の第２の脚部同士の間隔と等しくなるように構成されている。これにより、第２の脚部は一対の第１の脚部にそれぞれ跨って固着されることが可能である。また、一対の第１の脚部は、一定の間隔と長さを有する。この点は一対の第２の脚部も同様である。しかし、第１の脚部の長さと第２の脚部の長さは、必ずしも一致していなくて良い。
上記構造の柵保持具においては、請求項２記載の考案の作用に加えて、保持部の第２の脚部は、台座部の一定の間隔と長さを有する第１の脚部に支持されることから、保持部が台座部ごと転倒することが防止される。また、第２の脚部は第１の脚部に対し垂直をなすため、保持部に固定された柵は、地表面に対し垂直に保持される。なお、この場合の垂直は、略垂直である場合も含まれる。
【００１４】
続いて、請求項４記載の考案は、請求項１乃至請求項３のいずれか１項に記載の柵保持具を製造するための製造治具であって、平板部と、この平板部に対し垂直に立設される長尺形状の一対の支持体と、この支持体に設けられる一対のガイド部材と、を備え、一対のガイド部材は、各々一対のスリットを形成する分枝を備えたフォーク状をなし、スリットは第２の脚部を挿入可能な幅であるとともに、一対のスリットの間の分枝の幅は柵を保持可能な隙間の幅と同一であることを特徴とする。
このような構造の柵保持具において、平板部は、台座部を寝かせた状態で載置するためのものであり、支持体及びガイド部材は、保持部を起立状態で支持するためのものである。また、一対の支持体とは、平板部の端面付近と略中心部にそれぞれ設けられる支持体をいい、一対のガイド部材とは、一対の支持体の少なくとも上部にそれぞれ設けられるガイド部材をいう。すなわち、ガイド部材は、一対の支持体の下部にも設けられる場合がある。
さらに、保持部の第２の脚部の先端部がそれぞれ台座部の第１の脚部に当接可能に、一対のガイド部材同士の間隔は、一対の第１の脚部同士の間隔及び一対の第２の脚部同士の間隔と等しく構成されている。
【００１５】
上記構造の柵保持具においては、台座部を平板部上に載置した後、一対の保持部を起立させてそれぞれ一対のガイド部材に設けられたスリットに装着する。これにより、一対の第２の脚部の先端部が、それぞれ第１の脚部に当接する。また、一対の支持体は平板部に対し垂直に立設されるので、一対の保持部は台座部に対し垂直となり、その隙間は柵を保持可能な幅となる。
このように台座部と一対の保持部が組み立てられた状態において、一対の第２の脚部の先端部をそれぞれ第１の脚部に固着することにより柵保持具が完成する。なお、第１及び第２の脚部が金属製である場合には、固着手段として溶接が考えられる。
続いて、台座部を平板部に沿ってスライドさせガイド部材のスリットから第２の脚部を抜き去ることにより、完成した柵保持具が製造治具から取り出される。
【考案の効果】
【００１６】
以上説明したように、本考案の請求項１記載の柵保持具によれば、地表面上の所望の位置に台座部が設置され、柵が台座部に対し一定角度をもって設置されることから、柵を地表面上に容易に設置することができる。したがって、家畜の放牧範囲を囲むように複数の柵を配置し、これらを複数の柵保持具によって保持することで、確実に家畜の移動を制限することができる。このとき、柵同士の境界部は、針金等の連結具を用いて互いに連結されることが望ましい。このような複数の柵で囲まれた放牧範囲内では、ロープ等を使用する必要がないので、家畜は自由かつ安全に移動することが可能である。
さらに、一対の保持部は、柵を保持可能な隙間を空け台座部に沿って並列することから、柵を保持部に固定する際において柵を自立させるための人手が不要である。したがって、一人の作業者によって負担なく放牧範囲に柵を設置することが可能であり、特許文献１及び特許文献２にそれぞれ記載された考案が有する課題を解決している。
また、柵保持具はコンパクトな構成であるので、柵と保持部を分離させた状態のみならず、柵を保持部に取り付けた状態であっても、柵と柵保持具をともに移動可能である。そのため、家畜の放牧範囲を容易に変更することができる。
なお、家畜の種類によって体高が異なる場合には、柵の高さを調整することで適宜対応することができる。したがって、様々なサイズの柵保持具を必ずしも製造する必要性がないため、その簡易な構成と相まって、安価に柵保持具を製造することが可能である。
【００１７】
本考案の請求項２記載の柵保持具によれば、請求項１記載の考案の効果に加えて、保持部に対し柵が傾斜して取り付けられることがないので、保持部に対する柵のぐらつきやズレを防止することができる。また、台座部と保持部はいずれもＵ字形状に屈曲された棒状体であり、このうち保持部は一対の第２の脚部を備えるため、柵を固定する箇所を多数確保可能であると同時に、部品点数は３点と少ない。すなわち、柵保持具は簡易な構成でありながら、柵を確実に保持することができる。
【００１８】
本考案の請求項３記載の柵保持具によれば、請求項２記載の考案の効果に加えて、保持部が台座部ごと転倒することが防止されることから、柵に家畜の荷重が加わった場合や傾斜面に柵保持具が設置される場合であっても、柵保持具の転倒を防止することができる。また、この転倒防止効果は、柵を柵保持具に固定する際にも有効であり、作業中における柵の転倒を防止することも可能である。
【００１９】
本考案の請求項４記載の柵保持具によれば、台座部を平板部上に載置した後、一対の保持部をそれぞれ一対のガイド部材に装着し、さらに一対の第２の脚部の先端部をそれぞれ第１の脚部に固着するという簡易な手順によって、複数の柵保持具を効率的かつ精度良く製造することができる。
【図面の簡単な説明】
【００２０】
【図１】（ａ）乃至（ｃ）は、それぞれ実施例１に係る柵保持具の正面図、（ａ）におけるＡ線矢視図及び斜視図である。
【図２】実施例１に係る柵保持具の使用例を示す外観図である。
【図３】（ａ）及び（ｂ）は、それぞれ実施例１に係る柵保持具の使用方法の説明図及び使用例を示す外観図である。
【図４】（ａ）乃至（ｃ）は、それぞれ実施例２に係る柵保持具の製造治具の使用状態を示す正面図、（ａ）におけるＢ線矢視図及び斜視図である。
【考案を実施するための形態】
【実施例１】
【００２１】
本考案の実施の形態に係る柵保持具について、図１乃至図３を用いて詳細に説明する。図１（ａ）乃至図１（ｃ）は、それぞれ実施例１に係る柵保持具の正面図、図１（ａ）におけるＡ線矢視図及び斜視図である。
図１（ａ）乃至図１（ｃ）に示すように、本実施例に係る柵保持具１は、地表面上に移動可能に設置される台座部２と、台座部２に立設される一対の保持部３，４と、を備える。
台座部２は、一対の脚部２ａ，２ｂと屈曲部２ｃを有するＵ字形状に屈曲された鉄製の棒状体であって、屈曲部２ｃの反対端は先端部２ｄ，２ｅとなっている。また、保持部３は、それぞれ一対の脚部３ａ，３ｂと屈曲部３ｃを有し、保持部４も、一対の脚部４ａ，４ｂと屈曲部４ｃを有するＵ字形状に屈曲された鉄製の棒状体である。さらに、保持部３，４は台座部２と同一形状をなしている。そのため、脚部３ａ，３ｂ及び脚部４ａ，４ｂは、それらの先端部３ｄ，３ｅ，４ｄ，４ｅが一対の脚部２ａ，２ｂにそれぞれ固着可能であり、この場合脚部３ａ，３ｂ、脚部４ａ，４ｂ及び屈曲部３ｃ，４ｃは、脚部２ａ，２ｂに対しそれぞれ垂直をなす。なお、この場合の垂直は、略垂直である場合も含まれる。
柵保持具１の具体的なサイズは、高さが６００ｍｍ、脚部２ａ，２ｂ同士の間隔が２００ｍｍ、保持部３と保持部４の間隔が２０ｍｍである。また、台座部２と保持部３，４をそれぞれ構成する棒状体は、直径が１６ｍｍであって、その表面には防錆塗装がなされている。そして、柵保持具１の重量は、６．７ｋｇである。
図１（ｃ）に示すように、保持部３，４は、ワイヤーメッシュ６を保持可能な隙間５を空け台座部２に沿って並列する。ワイヤーメッシュ６は、針金（図示せず）を使用して保持部３又は保持部４に固定される。その固定位置は、脚部３ａ，３ｂ，４ａ，４ｂと屈曲部３ｃ，４ｃのいずれであっても良い。
【００２２】
次に、柵保持具１の使用例について、図２を用いて詳細に説明する。図２は、実施例１に係る柵保持具の使用例を示す外観図である。なお、図１で示した構成要素については、図２においても同一の符号を付して、その説明を省略する。
図２に示すように、合計１０個の柵保持具１が長方形状の区画７を囲むように配置される。これらの柵保持具には、区画７に放されるヤギ８ａ，８ｂの移動を制限可能な高さの複数枚のワイヤーメッシュ６がそれぞれ側壁として固定される。これらのヤギ８ａ，８ｂは、区画７に生える雑草を食べさせるために放されるものである。また、ワイヤーメッシュ６同士の境界は、針金等の連結具（図示せず）で連結されている。なお、ワイヤーメッシュ６の枚数や配置は特に規定されず、区画７の面積はヤギの頭数や雑草の生え具合によって調整される。
さらに、ヤギ８ａ，８ｂは、悪天候や夜間には隣接する小屋等へ収容されることから、区画７への出入りを容易とするため、ワイヤーメッシュ６の一部がヒンジ等を用いることにより開閉可能な扉体（図示せず）として構成されると良い。また、ワイヤーメッシュ６の代わりに、複数の線材を一定間隔に並列して形成された櫛状体、格子、パネル等が用いられても良い。この他、側壁として設置されたワイヤーメッシュ６に、天上部としてさらにワイヤーメッシュ６が連結されても良い。
【００２３】
さらに、柵保持具１の使用例について、図３を用いてさらに詳細に説明する。図３（ａ）及び図３（ｂ）は、それぞれ実施例１に係る柵保持具の使用方法の説明図及び使用例を示す外観図である。なお、図１及び図２で示した構成要素については、図３においても同一の符号を付して、その説明を省略する。
図３（ａ）に示すように、まず、合計１０個の柵保持具１と複数枚のワイヤーメッシュ６により、ヤギ８ａ，８ｂを放牧する区画７ａが形成される。ヤギ８ａ，８ｂが区画７ａ内に生えている雑草を食べ尽くすと、次に、柵保持具１とワイヤーメッシュ６を隣接する区画７ｂへ移動させ（図中矢印）、ヤギ８ａ，８ｂを放す。以降、同様にして、区画７ｃ〜７ｅに至るまで柵保持具１とワイヤーメッシュ６とヤギ８ａ，８ｂを順次移動させる。
【００２４】
図３（ｂ）に示すように、柵保持具１ａ〜１ｅは、水平面９ａ上とこれに連なる傾斜面９ｂ上に設置される。水平面９ａ上に設置される棚保持具１ａ，１ｂと、傾斜面９ｂ上に設置される棚保持具１ｃ，１ｄと、傾斜面９ｂの端部に設置される棚保持具１ｅには、それぞれ異なるワイヤーメッシュ６ａ〜６ｃが固定される。このとき、ワイヤーメッシュ６ａ，６ｂには、ヤギ８ａを脱走させないために、重複部が形成される。そして、ワイヤーメッシュ６ａ〜６ｃ同士は、連結具（図示せず）によって互いに連結されている。
【００２５】
次に、本実施例に係る柵保持具１の作用について説明する。柵保持具１においては、台座部２はＵ字形状に屈曲された棒状体であるため、地表面に対し平行に設置される。なお、この場合の平行は、略平行である場合も含まれる。さらに、保持部３，４もＵ字形状に屈曲された棒状体であるため、ワイヤーメッシュ６を保持部３又は保持部４のいずれかに、それぞれ少なくとも２箇所で固定することにより、ワイヤーメッシュ６が保持部３又は保持部４に対して平行に取り付けられる。
また、保持部３の脚部３ａ，３ｂ及び保持部４の脚部４ａ，４ｂは、それぞれ台座部２の脚部２ａ，２ｂに対し垂直をなすことから、隙間５にワイヤーメッシュ６を挿入して固定すると、ワイヤーメッシュ６は地表面に対し垂直に起立して保持される。また、保持部３，４は、一定の間隔と長さを有する脚部２ａ，２ｂに支持されることから、ワイヤーメッシュ６がヤギ８ａ，８ｂの荷重を受ける場合や、傾斜面９ｂ上に設置される場合であっても、保持部３，４が台座部２ごと転倒することが防止される。
【００２６】
以上説明したように、本実施例に係る柵保持具１によれば、前述したようにコンパクトなサイズであり軽量であるため、大人であれば容易に運搬が可能である。さらに、従来技術のように地表面に複数本の支柱を打ち込むことが不要であるので、重労働から解放されるとともに、所望する場所へ負担なく設置及び移動することができる。また、個数や配置を調整することで家畜を放牧する面積や形状の調整が自在である。加えて、柵保持具１とワイヤーメッシュ６によって囲まれた放牧範囲内では、ロープ等を使用する必要がないので、家畜は自由かつ安全に移動することが可能である。
なお、柵保持具１は軽量であるため、傾斜面に設置する場合は、台座部２を土嚢やブロックを用いて固定することで、柵保持具１を設置した場合の安定性を向上させることが望ましい。また、放牧される家畜の種類は特に制限されないが、前述したサイズと重量の柵保持具１であれば、比較的小型のヤギが好適である。
さらに、柵保持具１によれば、ワイヤーメッシュ６が保持部３又は保持部４のいずれかに、それぞれ少なくとも２箇所で固定されるため、保持部３，４に対するワイヤーメッシュ６のぐらつきやズレを防止することができる。
【００２７】
また、柵保持具１によれば、台座部２と保持部３，４の形状が同一であり、鉄製の棒状体は市場に多く流通していることから、柵保持具１の材料を入手することは容易である。したがって、柵保持具１の簡易な構成と相まって、柵保持具１を安価に製造することができる。そのため、自治体や個人であっても複数の柵保持具１を容易に導入することが可能である。すなわち、柵保持具１を使用して家畜を放牧することによって、耕作放棄地や庭、人が作業困難な傾斜面等の除草が可能となり、土地の荒廃を防止することができる。また、除草のための人件費を節減できると同時に作業員の怪我の発生も皆無となる。
【００２８】
なお、本考案の柵保持具１は本実施例に示す構造に限定されない。例えば、保持部３の脚部３ａ，３ｂの先端部３ｄ，３ｅが台座部２の脚部２ａに固着されるとともに、保持部４の脚部４ａ，４ｂの先端部４ｄ，４ｅが台座部２の脚部２ｂに固着されても良い。
【実施例２】
【００２９】
本考案の実施の形態に係る柵保持具の製造治具について、図４を用いて詳細に説明する。図４（ａ）乃至図４（ｃ）は、それぞれ実施例２に係る柵保持具の製造治具の使用状態を示す正面図、図４（ａ）におけるＢ線矢視図及び斜視図である。なお、図１乃至図３で示した構成要素については、図４においても同一の符号を付して、その説明を省略する。
図４（ａ）乃至図４（ｃ）に示すように、本実施例に係る柵保持具の製造治具１０は、実施例１の柵保持具１を製造するための製造治具であって、平板部１１と、平板部１１に対し垂直に立設される長尺形状の支持体１２ａ，１２ｂ，１３ａ，１３ｂと、支持体１２ａ〜１３ｂに設けられるガイド部材１４〜１７と、を備える。このうち、ガイド部材１４，１５は、それぞれ支持体１２ａ〜１３ｂの上方に固着され、ガイド部材１６，１７は、それぞれ支持体１２ａ〜１３ｂの下方に固着される。また、ガイド部材１６，１７の下面と平板部１１の上面は、脚部２ａ，２ｂの直径以上の間隔を空けるように構成されている。なお、これら平板部１１、支持体１２ａ〜１３ｂ及びガイド部材１４〜１７は、いずれも金属製である。
ガイド部材１４は、スリット１４ｄ，１４ｅを形成する分枝１４ａ〜１４ｃを備えたフォーク状をなす。また、スリット１４ｄ，１４ｅは脚部３ａ，４ａを挿入可能な幅であるとともに、分枝１４ｂの幅はワイヤーメッシュ６を保持可能な隙間の幅、すなわち保持部３と保持部４との隙間の幅と同一である。そして、ガイド部材１５〜１７もガイド部材１４と同様な構造である。
【００３０】
次に、本実施例に係る製造治具１０を使用して柵保持具１を製造する際の手順について説明する。まず、台座部２をガイド部材１６，１７と平板部１１の間に載置し、脚部２ａを支持体１２ａ，１３ａに当接させるとともに脚部２ｂを支持体１２ｂ，１３ｂに当接させる。さらに、脚部２ａ，２ｂの先端部２ｄ，２ｅを平板部１１の端部に立設される当接面１１ａに当接させる。
この後、保持部３，４を起立させてそれぞれガイド部材１４〜１７のスリット１４ｄ〜１７ｅに装着する。より詳細には、保持部３の脚部３ａをスリット１４ｄ，１６ｄに挿入して支持体１２ａに当接させるとともに、脚部３ｂをスリット１５ｄ，１７ｄに挿入して支持体１２ｂに当接させる。保持部４の脚部４ａ，４ｂにおいても同様にそれぞれ支持体１３ａ，１３ｂに当接させる。これにより、保持部３の先端部３ｄ，３ｅ（図１参照）と保持部４の先端部４ｄ，４ｅ（図１参照）が、それぞれ台座部２の脚部２ａ，２ｂの略中央部に当接する。
このように台座部２と保持部３，４が組み立てられた状態において、先端部３ｄ〜４ｅをそれぞれ脚部２ａ，２ｂに溶接することにより柵保持具１が完成する。溶接はガイド部材１６，１７の下方からあるいはスリット１６ｄ〜１７ｅの内部から行うことができる。続いて、台座部２を平板部１１に沿って図４（ｃ）に示される矢印の方向にスライドさせ、ガイド部材１４〜１７のスリット１４ｄ〜１７ｅから脚部３ａ，３ｂと脚部４ａ，４ｂを抜き去ることにより、完成した柵保持具１が製造治具１０から取り出される。
【００３１】
以上説明したように、本実施例に係る製造治具１０によれば、台座部２を平板部上に載置した後、保持部３，４をそれぞれガイド部材１４〜１７のスリット１４ｄ〜１７ｅに装着することで、脚部３ａ〜４ｂの先端部３ｄ〜４ｅをそれぞれ脚部２ａ，２ｂに正確に当接させることができる。同時に、脚部３ａ〜４ｂは脚部２ａ，２ｂに対し垂直をなすこととなるため、製造治具１０を使用することにより、細かい微調整を必要とせずに良好な精度を有する柵保持具１を製造することができる。したがって、製造治具１０を使用しない場合と比較して、作業効率が格段に向上するとともに、均一な品質の柵保持具１を大量に製造することが可能である。
【００３２】
なお、本考案の製造治具１０は本実施例に示す構造に限定されない。例えば、支持体１２ａ，１２ｂの代わりに、ガイド部材１４，１６の分枝１４ｂ，１６ｂの後端を貫通する１本の支持体が備えられても良い。これは、支持体１３ａ，１３ｂとガイド部材１５，１７においても同様である。また、支持体１２ａ〜１３ｂの下方に固着されるガイド部材１６，１７が、省略されても良い。この他、製造治具１０は、柵保持具１の構成に対応して適宜設計変更される。
【産業上の利用可能性】
【００３３】
本考案は、地表面に移動可能に設置して家畜の移動を制限する柵保持具及びその製造治具として適用可能である。
【符号の説明】
【００３４】
１，１ａ〜１ｅ…柵保持具  ２…台座部  ２ａ，２ｂ…脚部  ２ｃ…屈曲部  ２ｄ，２ｅ…先端部  ３…保持部  ３ａ，３ｂ…脚部  ３ｃ…屈曲部  ３ｄ，３ｅ…先端部  ４…保持部  ４ａ，４ｂ…脚部  ４ｃ…屈曲部  ４ｄ，４ｅ…先端部  ５…隙間  ６，６ａ〜６ｃ…ワイヤーメッシュ  ７，７ａ〜７ｅ…区画  ８ａ，８ｂ…ヤギ  ９ａ…水平面  ９ｂ…傾斜面  １０…製造治具  １１…平板部  １１ａ…当接面  １２ａ，１２ｂ…支持体  １３ａ，１３ｂ…支持体  １４…ガイド部材  １４ａ〜１４ｃ…分枝  １４ｄ，１４ｅ…スリット  １５…ガイド部材  １５ａ〜１５ｃ…分枝  １５ｄ，１５ｅ…スリット  １６…ガイド部材  １６ａ〜１６ｃ…分枝  １６ｄ，１６ｅ…スリット  １７…ガイド部材  １７ａ〜１７ｃ…分枝  １７ｄ，１７ｅ…スリット
【図１】
0003191219.tif 000003
【図２】
0003191219.tif 000004
【図３】
0003191219.tif 000005
【図４】
0003191219.tif 000006